(57)【特許請求の範囲】
【請求項１】
照明部と、
該照明部を保持するスタンド基部と、
該スタンド基部に設けられた電子オルゴールと、
前記照明部と前記電子オルゴールに電源を供給するためのオンオフ制御を行う電源スイッチと、
該電源スイッチの１回目の投入により前記電子オルゴールへの電源接続の準備を行い、該電源スイッチの所定開放時間以内の一時的開放による２回目の投入により前記電子オルゴールへの電源接続を行わしめる制御回路とから構成された電子オルゴール付き電気スタンド。
【請求項２】
前記電源スイッチの投入・開放操作により前記照明部と前記電子オルゴールに電源が供給されている状態において、前記制御回路は前記電源スイッチの前記所定開放時間以上の一時的開放後の投入により、前記電子オルゴールへの電源供給を停止する制御を行なうようにした請求項１記載の電子オルゴール付き電気スタンド。
【請求項３】
前記制御回路は、フリップフロップ回路とスイッチング素子と抵抗，コンデンサなどからなる時定数回路とから構成され、前記電源スイッチの１回目の投入により前記フリップフロップ回路をリセット状態とし、前記電源スイッチの所定開放時間以内の一時的開放による２回目の投入によりセット状態として、前記電子オルゴールへの電源供給の制御を行わしめるようにした請求項１記載の電子オルゴール付き電気スタンド。
【請求項４】
前記制御回路は、マイコンとスイッチング素子と抵抗，コンデンサなどからなる時定数回路とから構成され、前記電源スイッチの１回目の投入により前記マイコンを動作準備状態とし、前記電源スイッチの所定開放時間以内の一時的開放による２回目の投入によりマイコンを動作状態として、前記電子オルゴールへの電源供給の制御を行わしめるようにした請求項１記載の電子オルゴール付き電気スタンド。
【発明の詳細な説明】
【０００１】
【発明の属する技術分野】
本発明は、照明装置である電気スタンドに電子オルゴールを内蔵させたものであって、特に電気スタンドの電灯の点灯・消灯を制御するスイッチの操作により、電子オルゴールの電源接続制御を行い得るようにした電子オルゴール付き電気スタンドに関するものである。
【０００２】
【従来の技術】
近年、通常の機械式オルゴールの他に電子オルゴールが開発されつつある。この電子オルゴールは、扱者の好みにより音色を変えることが可能であり、また音質も極めて良好であり、更にコスト的にも有利であるため、その利用価値は大きくなるものと推測される。本願出願人の創作に係る電子オルゴールの電子音発生回路の一例としては、図６に電子オルゴール１として示すような回路がある。
図６において、２は押釦スイッチでオルゴール音の音色を２種類以上に切替えるためのスイッチである。３はＣＰＵを含むコントローラで、スイッチ２のオン信号によって音色切替信号を送出するものである。４はサウンドジェネレータで、予め記憶されているオルゴールの演奏曲を発生させるものである。５はオーディオアンプでサウンドジェネレータ４の出力信号を増幅するものである。６はスピーカ、７は電源スイッチ付ボリュームで、電源のオンオフ制御と共に音量を可変するものである。
【０００３】
サウンドジェネレータ４に対するコントローラ３からの制御信号は、押釦スイッチ２を押すことによって図７に示すように音色指定のデータ／コマンド（Ｄ／Ｃ）が送られ、これに続きデータＮｏがコントローラ３を構成する８ビットのＣＰＵから送られて音色が切り替わるものである。データ（Ｄ0 〜Ｄ7 ）とデータ／コマンド（Ｄ／Ｃ）は、イネーブル信号（Ｅ）の立ち下がりで読み込まれる。この音色切替えは、ＣＰＵのメモリに書き込まれている複数の音色データを押釦スイッチ２を押す度毎に順次に読み出されて、サウンドジェネレータ４に送られる。そして記憶されている複数種類の音色がすべて切り替わると、最初の音色データに戻るようになっている。なお、サウンドジェネレータ４には複数の演奏曲目を記憶させておき、図示してない切替スイッチで演奏曲目を変えるようにすることもできる。
【０００４】
このような電子オルゴールは、従来の機械式オルゴールのピアノ的音色に限定されることがなく、可成り広範囲な音色や音域、或いは複音構成も可能であり、機械式オルゴールとは異なった趣向のオルゴールとして更に普及すると推測される。そして、この電子オルゴールの使用用途の一つとして本願出願人は、電気スタンドに内蔵させる電子オルゴール付き電気スタンドの商品化を図っている。
この電子オルゴール付き電気スタンドは、例えば図８の一部を切欠した斜視図に示すように、夜間に部屋を薄明り状態にする常夜灯のような電気スタンドに電子オルゴール１を内蔵させたものである。これは，夜の就眠前のひととき、静かに電子オルゴールのメロディーを聴いて一日の疲れを癒して、ゆっくりとした気持ちで睡眠に入るのに有効である。
【０００５】
この電子オルゴール付き電気スタンドは，スタンド基部８の上方にはソケット９が設けられ、ソケット９には電球１０或いは図示してない蛍光灯が装着される。スタンド基部８の内部には前述した電子オルゴール１が内蔵されている。また、スタンド基部８のケース表面には、電灯の点灯・消灯を制御するスイッチ１１と電子オルゴール１の動作を制御するためのスイッチ１２とが設けられている。なお、１３は電灯の笠、１４は商用電源に接続するプラグ付コードである。
この電子オルゴール付き電気スタンドの回路の概略は図９に示す通りである。即ち、商用電源１５から一方はスイッチ１１を通して電灯１０に接続され、他方はスイッチ１２を通してトランス１６に接続されて所用の電圧に降下させ、整流器１７．平滑コンデンサ１８よりなる整流回路１９で直流に変換して電子オルゴール１に接続されており、スイッチ１１又は１２のオン・オフ操作により電灯１０を点灯させたり、電子オルゴール１を動作させたりするものである。
【０００６】
【発明が解決しようとする課題】
しかしながら、電灯の点灯・消灯を制御するスイッチ１１と、電子オルゴールの動作を制御するスイッチ１２との２つのスイッチを設けることは、電気スタンドの外観上から好ましいものではなく、また操作の際に電気スタンドの置かれている場所が枕元から少し離れている場合には、スイッチ操作のために起きなければならず面倒であるし、スイッチが２つであるため操作間違いが生じ易い問題がある。また、スイッチ１１，１２の操作を電気スタンドの側まで行かなくてもよいように、電源コード１４の途中にスイッチを設け、手元操作が可能にすることも考えられるが、その場合はスイッチ及び電源コードを特殊なものにする必要があると共に、スタンド基部８に２つのスイッチを設けた場合と同様に、スイッチの操作間違いを生じる問題がある。
本発明は、１つのスイッチにより電灯の点灯・消灯の制御と電子オルゴールの動作の制御との両方を制御し得るようにすることを課題とするものである。
【０００７】
【課題を解決するための手段】
本発明による電子オルゴール付き電気スタンドは、照明部と、該照明部を保持するスタンド基部と、該スタンド基部に設けられた電子オルゴールと、前記照明部と前記電子オルゴールに電源を供給するためのオンオフ制御を行う電源スイッチと、該電源スイッチの１回目の投入により前記電子オルゴールへの電源接続の準備を行い、該電源スイッチの所定開放時間以内の一時的開放による２回目の投入により前記電子オルゴールへの電源接続を行わしめる制御回路とから構成されたものである。
【０００８】
【発明の実施の形態】
図１は本発明による電子オルゴール付き電気スタンドの基本回路構成を示すものである。なお、従来例として図９に示した回路図と同じ構成部分は同一記号で示してある。図１に示した回路構成は、商用電源１５からスイッチ２０を通した後、電灯１０と電子オルゴール１とに電源を供給するようにし、電子オルゴール１側は従来例と同様に整流器１７．平滑コンデンサ１８よりなる整流回路１９で直流に変換し、制御回路２１を介して電子オルゴール１に接続されている。この回路の基本動作は、スイッチ２０の１回目の投入（オン）により電灯１０は点灯するが、電子オルゴール１側は、制御回路２１が接続の準備を行うだけでオン動作は行わない。従って、電灯１０のみが点灯する。
【０００９】
次にスイッチ２０を所定の開放時間以内の一時的開放（オフ）後の再投入により、電灯１０を点灯させると共にオン動作の準備状態にあった制御回路２１をオン動作させ、電子オルゴール１に電源を接続して動作をさせるものである。即ち、電灯１０のみを点灯させる場合は、スイッチ２０を１回投入させるだけでよく、電灯１０の点灯と電子オルゴール１の動作の両方を行う場合は、スイッチ２０の投入（オン）動作を２回行うことにより達成し得るものである。
この制御回路２１は、スイッチ２０の１回目の投入後に同スイッチ２０を一時的に開放（オフ）させた後の再投入（２回目の投入）により、電子オルゴール１に電源を供給させるための条件として、スイッチ２０の一時的開放時間を１〜３秒程度の範囲に設定する。
【００１０】
従って、例えば一時的開放時間を２秒に設定した場合は、スイッチ２０一時的開放時間が２秒未満であればその再投入（２回目の投入）により制御回路２１がオン動作し、電子オルゴール１を動作させることができるが、一時的開放時間が２秒以上になると、制御回路２１のオン動作の準備状態が解除され、スイッチ２０を再投入（２回目の投入）しても制御回路２１はオン状態にならない。
そのため、例えばスイッチ２０の所定の操作による２回目の投入により、電灯１０の点灯と電子オルゴール１の動作の両方を行わせてある状態から、電子オルゴール１の動作のみを停止させる場合は、スイッチ２０の一時的開放時間を設定時間（例えば２秒）以上とすることにより達成することができる。
【００１１】
【実施例】
次に、前述した制御回路２１の実施例を説明する。図２は本発明の第１の実施例を示す回路図であり、図１に示した基本回路構成と同じ構成部分は同一記号により示してある。この実施例の制御回路２１１の構成は、フリップフロップ回路２２とスイッチングトランジスタ２３，２４及び抵抗，コンデンサ等からなる時定数回路などにより構成されているものである。スイッチ２０の投入により商用電源１５はトランス１６で所用の電圧に降下され、整流回路１９で直流に変換されて制御回路２１１に印加される。このときトランス１６の２次側の電圧がダイオードＤ5 を介してフリップフロップ回路２２に印加されるが、抵抗Ｒ3 とコンデンサＣ3 のタイムコンスタント（時定数）を抵抗Ｒ2 とコンデンサＣ2 の時定数より大きくしてあるため、フリップフロップ回路２２は端子バーＳに信号が印加されリセット状態にあって、端子Ｑには信号が出力されない。従って、スイッチングトランジスタ２３，２４はオフ状態であって、電子オルゴール１には電源が供給されないため、電灯１０のみが点灯して電子オルゴール１は演奏動作を行わない。
【００１２】
次に電子オルゴール１を動作させるためにスイッチ２０を一旦開放した後、所定時間以内に再度（２回目）投入（電灯１０は一時的に消灯する）させると、時定数の大きい抵抗Ｒ3 とコンデンサＣ3 によってフリップフロップ回路２２の端子バーＲにチャージが残っているため、フリップフロップ回路２２はセットされ端子Ｑに信号が出力される。従って、スイッチングトランジスタ２３，２４はオン状態になり、整流回路１９の直流電圧は電子オルゴール１に印加され動作が開始される。このスイッチ２０の投入、開放によるフリップフロップ回路２２の端子バーＳ，バーＲ及び整流回路１９の出力電圧は、図３に示す電圧印加状態図のようになる。
【００１３】
即ち、最初（１回目）のスイッチ２０の投入により整流回路１９の出力電圧Ｖは直ちに所定の電圧になるが、抵抗Ｒ2 とコンデンサＣ2 による時定数と抵抗Ｒ3 とコンデンサＣ3 による時定数との違いにより、フリップフロップ回路２２は最初に端子バーＳが所定の電圧になり、それから少し遅れて端子バーＲが所定の電圧に到達するので、前述したようにフリップフロップ回路２２はリセット状態にあるため、端子Ｑには信号が出力されない。この状態でスイッチ２０を開放すると、整流回路１９の出力電圧とフリップフロップ回路２２のバーＳの端子電圧は急速に低下するが、バーＲの端子電圧は時定数が大きく設定されている抵抗Ｒ3 とコンデンサＣ3 により徐々に低下する。そのため、バーＲの端子電圧の低下幅が少ない状態でスイッチ２０が再び（２回目）投入されると、フリップフロップ回路２２の端子バーＲが端子バーＳよりも先に動作電圧に達し、フリップフロップ回路２２はセット状態に反転して端子Ｑに信号が出力される。
【００１４】
また、整流回路１９の出力電圧は、スイッチ２０の再投入により直ちに所定の電圧になり、スイッチングトランジスタ２３，２４のオン動作と相俟って電子オルゴール１は動作を開始する。この電子オルゴール１を動作させるために、スイッチ２０の最初（１回目）の投入状態から、開放して再投入（２回目投入）するまでの時間は、抵抗Ｒ2 ，コンデンサＣ2 と、抵抗Ｒ3 ，コンデンサＣ3 のそれぞれの時定数の選択により適宜設定することができるが、通常は１〜３秒程度の範囲に設定することが操作上適当である。
また、電灯１０を点灯させた状態で電子オルゴール１の音楽を停止させる場合は、再投入（２回目投入）後の一時的開放時間を前述した設定時間１〜３秒より長くして、再再投入（３回目投入）を行うようにすればよい。即ち、電源スイッチ２０の一時開放の時間を長くすることにより、抵抗Ｒ3 ，コンデンサＣ3 の時定数回路のコンデンサＣ3 が放電し、フリップフロップ回路２２はリセット状態になるためである。なお、この場合も電灯１０は一時的に消灯することになる。
【００１５】
次に、図１に示した制御回路２１の他の実施例を図４に基づいて説明する。なお、図１に示した基本回路構成と同じ構成部分は同一記号により示してある。この実施例の制御回路２１２の構成は、マイコン２５とスイッチングトランジスタ２６，２７及び抵抗，コンデンサ等からなる時定数回路などにより構成されているものである。
スイッチ２０の投入により商用電源１５はトランス１６で所用の電圧に降下され、整流回路１９で直流に変換されて制御回路２１２に印加されると、コンデンサＣ4 の作用によりマイコン２５の＋端子に一時的に電圧が印加され、マイコン２５が短時間だけ動作する。マイコン２５の作用は、その端子Ｐ1 に電圧が印加されているか否かを検知し、端子Ｐ1 に電圧が印加されている場合は、マイコン２５の端子Ｐ2 に信号を出力するものである。なお、マイコン２５が一時的に動作する際、電子オルゴール１も同様に瞬時的に動作するが、動作時間が短いため実用上支障はない。
【００１６】
最初（１回目）のスイッチ２０の投入により、マイコン２５が一時的に動作し端子Ｐ1 に電圧が印加されているか否かを検知する。この時、マイコン２５の端子Ｐ1 には抵抗Ｒ8 を介して電圧が印加されるが、コンデンサＣ5 との時定数により端子Ｐ1 に電圧が印加されるのが遅延され、マイコン２５の一時的動作が終わった後に印加される。従って、マイコン２５の端子Ｐ2 には信号が出力されず、スイッチングトランジスタ２６，２７はオン動作をしないため、電子オルゴール１は動作をせず、電灯１０のみが点灯する。
【００１７】
次に電子オルゴール１を動作させるためにスイッチ２０を一旦開放した後、所定時間以内に再度（２回目）投入（電灯１０は一時的に消灯する）させると、マイコン２５の端子Ｐ1 には抵抗Ｒ8 とコンデンサＣ5 との時定数により所定時間、電圧が印加されているため、これをマイコン２５が検知し端子Ｐ2 に信号を出力する。これによりスイッチングトランジスタ２６，２７がオン動作を行い、マイコン２５に電源が供給され動作状態になると共に、電子オルゴール１にも電源が供給されて動作状態になり、音楽か送出されることになる。
を動作させるものである。
この最初のスイッチ２０の投入による電灯１０の点灯状態において、電子オルゴール１を動作させるために、スイッチ２０を開放してから再投入するまでの時間、即ち所定開放時間は、図２に示した実施例と同様に、通常は１〜３秒程度の範囲に設定することが操作上適当である。
【００１８】
また、電灯１０を点灯させた状態で電子オルゴール１の音楽を停止させる場合は、前述した図２に示した実施例と同様に、スイッチ２０の開放から再再投入までの一時的開放時間を、前述の１〜３秒程度の設定時間を経過した後に行うようにすればよい。即ち、電源スイッチ２０の一時開放の時間を長くすることにより、時定数回路を構成するコンデンサＣ5 が放電し、マイコン２５の端子Ｐ1 には電圧が印加されない状態となり、マイコン２５の動作準備状態が解除されるためである。なお、この場合も電灯１０は一時的に消灯することになる。また、制御回路２１２に用いられているマイコン２５は、電子オルゴール１の制御用のＣＰＵ３と共用し得るから、コストアップが抑制される。
【００１９】
また、本発明の電子オルゴール付き電気スタンドは、１個のスイッチ２０により電灯の電灯の点灯・消灯の制御と、電子オルゴールの起動・停止の制御とが行なえるものであるため、図５の電子オルゴール付き電気スタンドの一部切欠斜視図に示すように、スイッチ２０は就眠者が操作し易いように、通常の電源コード２８の適宜位置に設けることが可能になったものである。また、図２，図４の実施例における時定数回路は、抵抗とコンデンサとにより構成されているが、抵抗とコイルにより構成することもできる。
【００２０】
【発明の効果】
以上詳細に説明したように本発明による電子オルゴール付き電気スタンドは、オン・オフを行う１個のスイッチにより、電灯の点灯・消灯の制御と、電気スタンド点灯時における電子オルゴールの音楽送出動作の起動・停止の制御とを行い得るものであり、これらの操作上の容易性，確実性が図られるとともに、電気スタンドの外観上のシンプル化も図り得る効果を奏するものである。
【図面の簡単な説明】
【図１】本発明による電子オルゴール付き電気スタンドの基本構成を示すブロック回路である。
【図２】本発明による電子オルゴール付き電気スタンドの制御回路の一実施例を示す回路図である。
【図３】図２に示した制御回路各部の電圧印加状態図である。
【図４】本発明による電子オルゴール付き電気スタンドの制御回路の他の実施例を示す回路図である。
【図５】本発明による電子オルゴール付き電気スタンドの一部切欠斜視図である。
【図６】電子オルゴールのブロック回路図である。
【図７】図５に示したブロック回路図のコントローラとサウンドジェネレータとの間のタイミングを示す波形図である。
【図８】従来技術による電子オルゴール付き電気スタンドの一部切欠斜視図である。
【図９】従来技術による電子オルゴール付き電気スタンドの一例を示すブロック回路図である。
【符号の説明】
１  電子オルゴール
２  押釦スイッチ
３  ＣＰＵ
４  サウンドジェネレータ
５  オーディオアンプ
６  スピーカ
７  電源スイッチ付ボリューム
８  スタンド基部
９  ソケット
１０  電灯
１１，１２，２０  スイッチ
１３  笠
１４  プラグ付コード
１５  商用電源
１６  トランス
１７  ダイオード
１８  コンデンサ
１９  整流回路
２１，２１１，２１２  制御回路
２２  フリップフロップ回路
２３，２４，２６，２７  スイッチングトランジスタ
２５  マイコン
２８  スイッチ付電源コード
【図１】
0003979549.tif 000002
【図２】
0003979549.tif 000003
【図３】
0003979549.tif 000004
【図４】
0003979549.tif 000005
【図５】
0003979549.tif 000006
【図６】
0003979549.tif 000007
【図７】
0003979549.tif 000008
【図８】
0003979549.tif 000009
【図９】
0003979549.tif 000010